(57)【要約】【課題】  筆記具本体への装着時に内キャップの内容積をあまり変化させずにペン体を確実に密封でき、かつ十分な衝合音が発生する筆記具用キャップを提供する。【解決手段】金属製の蓋体の内部に内キャップをスプリングで前方に弾発された状態で配置するとともに、蓋体の内面に合成樹脂で成形された内向き突起を取り付け、筆記具本体に装着する際に、内向き突起が筆記具本体の外向き突起を乗り越え、そのときの勢いで蓋体の先端縁が筆記具本体の段部に衝合して衝合音が発生し、内キャップの先端部が筆記具本体の前端部に密着して筆記具本体のペン体を密封するようにする。また、蓋体の内面に、前記内向き突起が端部近傍に形成された合成樹脂製の筒体を取り付け、内向き突起が形成された部分の筒体の外周面と蓋体の内周面に間に隙間を存在させる。【選択図】  図１
2006264096.tif 000002
【特許請求の範囲】
【請求項１】
金属製の蓋体の内部に内キャップがスプリングで前方に弾発された状態で配置されるとともに、蓋体の内面に合成樹脂で成形された内向き突起が取り付けられ、
筆記具本体に装着する際、該内向き突起が筆記具本体の外向き突起を乗り越えて装着が完了し、この乗り越えるときの勢いで蓋体の先端縁が筆記具本体の段部に衝合して衝合音が発生し、内キャップの先端部が筆記具本体の前端部に密着して筆記具本体のペン体を密封することを特徴とする筆記具用キャップ。
【請求項２】
前記蓋体の内面に、前記内向き突起が端部近傍に形成された合成樹脂製の筒体が取り付けられ、該内向き突起が形成された部分の筒体の外周面と蓋体の内周面に間に隙間が存在することを特徴とする請求項１記載の筆記具用キャップ。
【発明の詳細な説明】
【技術分野】
【０００１】
本発明は、筆記具用のキャップに関し、更には、筆記具本体に装着したときに「パッチン」という衝合音が発生する筆記具用キャップに関する。
【背景技術】
【０００２】
キャップを筆記具本体に装着した瞬間に「パッチン」という衝合音が発生すると、確実に装着できたことを確認できるとともに、良好なフィーリングが得られる。このため、キャップの蓋体の内部に内向き突起を形成するとともに筆記具本体に外向き突起を形成し、この内向き突起が筆記具本体の外向き突起を乗り越えて装着が完了するとき、そのときの勢いで蓋体の先端縁が筆記具本体の段部に衝合して衝合音が発生するようにしたものが知られている。
【０００３】
次に、インキの蒸発を防止するために、万年筆などの水性インキを使用する筆記具においてはキャップ装着時にペン体を密封する必要がある。このため、蓋体内に内キャップを配置し、この内キャップがペン体を密封するようにすることが多いが、内キャップ内部に外向き突起などの嵌合部を設け、キャップ装着時に筆記具本体の先端部が内キャップ内部に入り込んで嵌合するようにすると、内キャップ内の容積が減少するため内部が加圧され、加圧空気が筆記具本体内に侵入してインキが噴出すことがあるので、キャップ装着時に内キャップの先端部が筆記具本体の前端部に密着して、つまり端面同士が衝合してペン体を密封することが行われることが多い。
【発明の開示】
【発明が解決しようとする課題】
【０００４】
このように、装着時に衝合音を発生させるためにはキャップの蓋体と筆記具本体の段部などの端面同士を衝合させ、また装着時に内キャップの内容積をあまり変化させないために内キャップと筆記具本体の端面同士を衝合させるが、装着時に衝合音が発生するにはキャップにおいて、内キャップの内容積があまり変化せずにペン体を密封しようとすると、蓋体の端面と内キャップの端面を筆記具本体の段部や端面に同時に衝合させる必要がある。しかし、寸法精度上、蓋体の端面と内キャップの端面を筆記具本体の段部や端面に同時に確実に衝合させるのは困難であり、衝合音が十分な大きさで発生するとペン体の密封が不完全になり、逆にペン体を完全に密封すると、衝合音が十分に発生しない不具合がある。また、キャップの蓋体は合成樹脂で成形されることが多いか、合成樹脂同士の衝合では十分な衝合音が発生しない問題点がある。
【０００５】
そこで本発明は、筆記具本体への装着時に内キャップの内容積をあまり変化させずにペン体を確実に密封でき、かつ十分な衝合音が発生する筆記具用キャップを提供することを目的とする。
【課題を解決するための手段】
【０００６】
かかる目的を達成するために、請求項１の発明は、金属製の蓋体の内部に内キャップをスプリングで前方に弾発された状態で配置するとともに、蓋体の内面に合成樹脂で成形された内向き突起を取り付け、筆記具本体に装着する際に、内向き突起が筆記具本体の外向き突起を乗り越えて装着が完了し、この乗り越えるときのの勢いで蓋体の先端縁が筆記具本体の段部に衝合して衝合音が発生し、内キャップの先端部が筆記具本体の前端部に密着して筆記具本体のペン体を密封するようにする。
【０００７】
請求項２の発明は、請求項１の筆記具用キャップにおいて、蓋体の内面に、前記内向き突起が端部近傍に形成された合成樹脂製の筒体を取り付け、内向き突起が形成された部分の筒体の外周面と蓋体の内周面に間に隙間を存在させる。
【発明の効果】
【０００８】
請求項１の発明は、外向きの突起である嵌合部と内キャップとを２部品に分けた構造にしたので、蓋体の端面と内キャップの端面を筆記具本体の段部や端面に同時に確実に衝合させることが可能になり、装着時に衝合音が発生したときにペン体を内キャップにより確実に密封することができる。また、蓋体が金属製であるので、大きな衝合音を発生させることができる。
【０００９】
金属製の蓋体は合成樹脂製のものよりも剛性が大きく、内向き突起が筆記具本体の外向き突起を乗り越えるときに径が拡大するように変形しにくいが、請求項２の発明は、内向き突起が形成された部分の合成樹脂製筒体の外周面と蓋体の内周面に間に隙間が存在するので、筒体の径が弾性変形して拡大しやすく、内向き突起や外向き突起の高さを少々大きくしても容易に嵌合することができる。
【発明を実施するための最良の形態】
【００１０】
図面に基づいて本発明の実施の形態を説明する。図面は万年筆に本発明を適用した例を示すが、図１および図２において、キャップの蓋体１１は例えばステンレスなどの金属パイプからなり、蓋体１１の尾端開口には，前方がボルトになっている尾冠１６が配置されており、尾冠１６のボルト部分に螺着されたナット１７と尾冠１６によりクリップ１８の基端部１８ａが固定されている。蓋体１１の先端縁１１ａには真鍮などからなる飾り口金１９が取り付けられている。
【００１１】
蓋体１１内部には、合成樹脂で有底筒状に成形された内キャップ１２が、端部がナット１７に固定されたスプリング１５により前方（合口側）に弾発された状態で配置されている。また、蓋体１１の内周面には合成樹脂で成形された筒体１３が接着剤などにより固定されている。筒体１３の端部内面には内向き突起１４が形成されている。そして、内向き突起１４が形成された部分の筒体１３の外周面と蓋体１１の内周面の間には、図２に示すように、僅かな隙間Ｓが存在している。
【００１２】
筆記具本体である万年筆の軸２１もステンレスなどの金属パイプからなり、その前端開口部には合成樹脂製の大先２２が固定されている。大先２２の先端部には外向き突起２５が形成されている。この外向き突起２５とキャップの内向き突起１４が嵌合部を構成している。大先２２内にはペン芯２３が配置されており、金属板からなるペン体２４が大先２２とペン芯２３により挟圧保持されている。ペン芯２３後端の突き刺し管２６に図示しないインキカートリッジが接続され、インキカートリッジ内の水性インキがペン芯２３のインキ溝を通ってペン体２４に供給され、筆記に供される。  なお、図１における蓋体１１と軸２１の斜線は省略してある。
【００１３】
しかして、キャップを筆記具本体に装着するとき、内向き突起１４が外向き突起２５を乗り越えて内向き突起１４と外向き突起２５とが嵌合して装着が完了するが、このとき、内向き突起１４が形成された部分の合成樹脂製筒体１３の外周面と蓋体１１の内周面に間に隙間Ｓが存在するので、筒体１３の径が弾性変形して拡大しやすく、内向き突起１４や外向き突起２５の高さを少々大きくしても容易に嵌合することができる。そして、内向き突起１４が外向き突起２５を乗り越える際の勢いで蓋体１１の先端縁である口金１９が筆記具本体合口部の段部に衝合し、「パッチン」という大きな衝合音を発するとともに、スプリング１５の弾発力により、図２に示すように、内キャップ１２先端縁の内向き斜面１２ａが大先２２の前端縁である外向き斜面２２ａに密着し、内キャップ１２の内容積をほとんど減少させることなくペン体２４を確実に密封してインキの蒸発を防止する。
【図面の簡単な説明】
【００１４】
【図１】本発明実施例の断面図である。
【図２】同じく要部の拡大断面図である。
【符号の説明】
【００１５】
１１    蓋体
１２    内キャップ
１３    筒体
１４    内向き突起
１５    スプリング
１６    尾冠
１７    ナット
１８    クリップ
１９    飾り口金
２１    軸
２２    大先
２３    ペン芯
２４    ペン体
２５    外向き突起
２６    突き刺し管
【図１】
2006264096.tif 000003
【図２】
2006264096.tif 000004